(57)【特許請求の範囲】
【請求項１】
指示された印刷処理を実行するとともに、印刷処理の中断を示す信号を受信したとき、再開指令信号が入力されるまで前記指示された印刷処理を中断する印刷部と、
前記印刷処理の再開に係るページの縮小画像と前記再開に係るページを示す情報とを含む再開情報を視覚的に他の用紙と識別可能な確認用用紙へ印刷する処理を行う出力処理手段と、
再開指示がされたとき、前記印刷部の印刷処理が各ページを１枚ずつ印刷する印刷処理の場合には、前記出力処理手段により前記確認用用紙への印刷処理を行わせた後に前記印刷部に前記再開指令信号を出力して前記中断した印刷処理を再開させることにより前記確認用用紙を前記印刷処理を再開する位置に挟み、前記印刷部の印刷処理が同じページを連続して印刷する印刷処理の場合には、前記印刷部に前記再開指令信号を出力して前記中断した印刷処理を再開させ、印刷処理の終了後に前記出力処理手段により前記確認用用紙への印刷処理を行わせる再開手段とを備え、
前記出力処理手段は、前記印刷部の印刷処理が各ページを１枚ずつ印刷する印刷処理の場合には、前記印刷処理の再開に係るページの画像の縮小画像と前記再開に係るページを示す情報に加え、前記再開に係るページの前後のページの縮小画像を含む再開情報を前記確認用用紙に印刷する画像処理装置。
【請求項２】
指示された印刷処理を実行するとともに、印刷処理の中断を示す信号を受信したとき、再開指令信号が入力されるまで前記指示された印刷処理を中断する印刷部と、
前記印刷処理の再開に係るページの縮小画像と前記再開に係るページを示す情報とを含む再開情報を視覚的に他の用紙と識別可能な確認用用紙へ印刷する処理を行う出力処理手段と、
再開指示がされたとき、前記印刷部の印刷処理が各ページを１枚ずつ印刷する印刷処理の場合には、前記出力処理手段により前記確認用用紙への印刷処理を行わせた後に前記印刷部に前記再開指令信号を出力して前記中断した印刷処理を再開させることにより前記確認用用紙を前記印刷処理を再開する位置に挟み、前記印刷部の印刷処理が同じページを連続して印刷する印刷処理の場合には、前記印刷部に前記再開指令信号を出力して前記中断した印刷処理を再開させ、印刷処理の終了後に前記出力処理手段により前記確認用用紙への印刷処理を行わせる再開手段とを備え、
前記出力処理手段は、前記印刷部の印刷処理が各ページを１枚ずつ印刷する印刷処理の場合には、前記印刷処理の再開に係るページの画像の縮小画像と前記再開に係るページを示す情報に加え、前記再開に係るページの前後のページの縮小画像を含む再開情報を前記確認用用紙に印刷する印刷システム。
【請求項３】
指示された印刷処理を実行するとともに、印刷処理の中断を示す信号を受信したとき、再開指令信号が入力されるまで前記指示された印刷処理を中断する印刷ステップと、
前記印刷処理の再開に係るページの縮小画像と前記再開に係るページを示す情報とを含む再開情報を視覚的に他の用紙と識別可能な確認用用紙へ印刷する制御を行う出力制御ステップと、
再開指示がされたとき、前記印刷処理が各ページを１枚ずつ印刷する印刷処理の場合には、前記出力制御ステップにより前記確認用用紙への印刷処理を行わせた後に前記再開指令信号を出力して前記中断した印刷処理を再開させることにより前記確認用用紙を前記印刷処理を再開する位置に挟み、前記印刷処理が同じページを連続して印刷する印刷処理の場合には、前記再開指令信号を出力して前記中断した印刷処理を再開させ、印刷処理の終了後に前記出力処理ステップにより前記確認用用紙への印刷処理を行わせる再開ステップとを含み、
前記出力制御ステップは、前記印刷処理が各ページを１枚ずつ印刷する印刷処理の場合には、前記印刷処理の再開に係るページの画像の縮小画像と前記再開に係るページを示す情報に加え、前記再開に係るページの前後のページの縮小画像を含む再開情報を前記確認用用紙に印刷するステップをさらに有する処理をコンピュータに実行させるための画像処理プログラム。
【発明の詳細な説明】
【技術分野】
【０００１】
本発明は、画像処理装置、印刷システム及び画像処理プログラムに関する。
【背景技術】
【０００２】
印刷装置では、一般に、印刷処理中に紙詰まり等の印刷用紙のジャムが発生すると、紙詰まり等を解決する処理を行った後、印刷の再開操作を行うと、引き続き印刷処理を再開するようにしている（例えば、特許文献１参照）。
【０００３】
特許文献１に示された印刷装置は、印刷の再開操作が行われると、印刷の再開に先立って搬送経路がクリーニング用紙によってクリーニングされて排出される。クリーニング用紙は、表面に微細な凹凸や空孔のある用紙や、弱粘着性の物質を基材にコーティングした用紙、あるいは溶剤成分を含浸させた用紙など種々の材質のものを用いることができる。クリーニング用紙には、ジャムの発生に関する所定の情報（ジャム発生時刻、搬送経路におけるジャム発生位置、印刷部数、印刷データ名等）が印字可能なものを用いることができる。
【０００４】
この構成によれば、ジャムの発生の前後の印刷物をクリーニング用紙によって識別することができる。
【特許文献１】特開２００５−５９４６３号公報
【発明の開示】
【発明が解決しようとする課題】
【０００５】
本発明の目的は、中断した印刷処理が再開されたページの画像を確認することができる画像処理装置、印刷システム及び画像処理プログラムを提供することにある。
【課題を解決するための手段】
【０００６】
本発明の一態様は、上記目的を達成するため、以下の画像処理装置、印刷システム及び画像処理プログラムを提供する。
【０００７】
［１］指示された印刷処理を実行するとともに、印刷処理の中断を示す信号を受信したとき、再開指令信号が入力されるまで前記指示された印刷処理を中断する印刷部と、前記印刷処理の再開に係るページの縮小画像と前記再開に係るページを示す情報とを含む再開情報を視覚的に他の用紙と識別可能な確認用用紙へ印刷する処理を行う出力処理手段と、再開指示がされたとき、前記印刷部の印刷処理が各ページを１枚ずつ印刷する印刷処理の場合には、前記出力処理手段により前記確認用用紙への印刷処理を行わせた後に前記印刷部に前記再開指令信号を出力して前記中断した印刷処理を再開させることにより前記確認用用紙を前記印刷処理を再開する位置に挟み、前記印刷部の印刷処理が同じページを連続して印刷する印刷処理の場合には、前記印刷部に前記再開指令信号を出力して前記中断した印刷処理を再開させ、印刷処理の終了後に前記出力処理手段により前記確認用用紙への印刷処理を行わせる再開手段とを備え、前記出力処理手段は、前記印刷部の印刷処理が各ページを１枚ずつ印刷する印刷処理の場合には、前記印刷処理の再開に係るページの画像の縮小画像と前記再開に係るページを示す情報に加え、前記再開に係るページの前後のページの縮小画像を含む再開情報を前記確認用用紙に印刷する画像処理装置。
【００１１】
［２］指示された印刷処理を実行するとともに、印刷処理の中断を示す信号を受信したとき、再開指令信号が入力されるまで前記指示された印刷処理を中断する印刷部と、前記印刷処理の再開に係るページの縮小画像と前記再開に係るページを示す情報とを含む再開情報を視覚的に他の用紙と識別可能な確認用用紙へ印刷する処理を行う出力処理手段と、再開指示がされたとき、前記印刷部の印刷処理が各ページを１枚ずつ印刷する印刷処理の場合には、前記出力処理手段により前記確認用用紙への印刷処理を行わせた後に前記印刷部に前記再開指令信号を出力して前記中断した印刷処理を再開させることにより前記確認用用紙を前記印刷処理を再開する位置に挟み、前記印刷部の印刷処理が同じページを連続して印刷する印刷処理の場合には、前記印刷部に前記再開指令信号を出力して前記中断した印刷処理を再開させ、印刷処理の終了後に前記出力処理手段により前記確認用用紙への印刷処理を行わせる再開手段とを備え、前記出力処理手段は、前記印刷部の印刷処理が各ページを１枚ずつ印刷する印刷処理の場合には、前記印刷処理の再開に係るページの画像の縮小画像と前記再開に係るページを示す情報に加え、前記再開に係るページの前後のページの縮小画像を含む再開情報を前記確認用用紙に印刷する印刷システム。
【００１２】
［３］指示された印刷処理を実行するとともに、印刷処理の中断を示す信号を受信したとき、再開指令信号が入力されるまで前記指示された印刷処理を中断する印刷ステップと、前記印刷処理の再開に係るページの縮小画像と前記再開に係るページを示す情報とを含む再開情報を視覚的に他の用紙と識別可能な確認用用紙へ印刷する制御を行う出力制御ステップと、再開指示がされたとき、前記印刷処理が各ページを１枚ずつ印刷する印刷処理の場合には、前記出力制御ステップにより前記確認用用紙への印刷処理を行わせた後に前記再開指令信号を出力して前記中断した印刷処理を再開させることにより前記確認用用紙を前記印刷処理を再開する位置に挟み、前記印刷処理が同じページを連続して印刷する印刷処理の場合には、前記再開指令信号を出力して前記中断した印刷処理を再開させ、印刷処理の終了後に前記出力処理ステップにより前記確認用用紙への印刷処理を行わせる再開ステップとを含み、前記出力制御ステップは、前記印刷処理が各ページを１枚ずつ印刷する印刷処理の場合には、前記印刷処理の再開に係るページの画像の縮小画像と前記再開に係るページを示す情報に加え、前記再開に係るページの前後のページの縮小画像を含む再開情報を前記確認用用紙に印刷するステップをさらに有する処理をコンピュータに実行させるための画像処理プログラム。
【発明の効果】
【００１３】
請求項１、２又は３の発明によれば、中断した印刷処理が再開されたページを含む範囲のページの画像の縮小画像と印刷処理を再開させるページの情報とを含む再開情報を、印刷物と照合することで、印刷物の内容を知らない者でも正しいページから印刷処理が再開されたことを確認することができ、またページ抜けや二重印刷を発見できる。
【発明を実施するための最良の形態】
【００１７】
［第１の実施の形態］
図１は、本発明の第１の実施の形態に係るプリンタシステムのブロック図である。
【００１８】
このプリンタシステムは、印刷ジョブに対する印刷処理を行う画像処理装置としてのプリンタ１と、プリンタ１にネットワークを介して印刷ジョブを送信するクライアント端末２とを有する。なお、クライアント端末２は、同図では１台を図示するが、２台以上でもよい。
【００１９】
クライアント端末２は、プリントドライバを有し、ユーザによりプリントドライバから印刷指示が行われたとき、文書データとユーザの印刷指示情報をＰＤＬ（Page Description Language）形式の印刷ジョブに変換し、プリンタ１に送信する。クライアント端末２は、例えば、パーソナルコンピュータにより構成される。
【００２０】
ＰＤＬに記述される印刷指示情報には、部数情報、出力用紙サイズ情報、両面印刷情報、用紙トレイ選択情報、後処理情報（ステープル情報、パンチ情報、ソート情報）等が含まれる。
【００２１】
プリンタ１は、プリンタ１の各部を制御するプリンタコントローラ１０と、コントロールパネル１１と、画像出力部１２と、後処理部１３とを備える。
【００２２】
（プリンタコントローラ）
プリンタコントローラ１０は、クライアント通信部１０１と、ＰＤＬ処理部１０２と、印刷イメージ生成部１０３と、出力制御部１０４と、ジャム検知部１０５と、ジョブ制御部１１０と、ジャムリカバリ制御部１１１と、確認イメージ作成部１１２と、記憶装置１１３とを備える。
【００２３】
クライアント通信部１０１は、クライアント端末２との間で通信を行い、クライアント端末２から印刷ジョブを受信する。
【００２４】
ＰＤＬ処理部１０２は、ＰＤＬデータを解釈し、この解釈に基づいてＰＤＬデータをラスターイメージデータに展開する。
【００２５】
印刷イメージ生成部１０３は、ラスターイメージデータを画像出力部１２に適合するようにＣＭＹＫ形式への変換等を行う。
【００２６】
出力制御部１０４は、印刷イメージ生成部１０３によって生成された印刷イメージを、画像出力部１２と同期を取りながら画像出力部１２への出力処理を行う。
【００２７】
ジャム検知部１０５は、画像出力部１２に設けられた後述する複数の用紙検出センサ１４から出力される用紙検出信号の時間間隔が所定値以上になったとき、ジャムが発生したことを検知し、ジャムが発生した位置を示すジャム検知信号をジョブ制御部１１０に出力する。なお、ジャム検知部１０５は、用紙検出センサ１４から用紙検出信号が所定の時間以上到来しないことで、ジャムが発生したことを検知してもよい。
【００２８】
ジョブ制御部１１０は、クライアント端末２からクライアント通信部１０１を介して印刷ジョブを受信して、印刷ジョブを記憶装置１１３に一旦格納して管理するとともに、プリンタコントローラ１０の各部を制御して印刷ジョブの印刷処理を実行する。また、ジョブ制御部１１０は、ジャム検知部１０５からジャム検知信号を受信したとき、印刷処理を中断する。
【００２９】
ジャムリカバリ制御部１１１は、ジャムの発生によって中断した印刷処理を再開するための制御を行う。ジョブ制御部１１０及びジャムリカバリ制御部１１１は、ＣＰＵ、ＲＯＭ、ＲＡＭ等から構成され、ＣＰＵは、ＲＯＭに記憶された図３に示すような画像処理プログラムに従って動作することにより、再開手段、出力処理手段及び出力制御手段として機能する。
【００３０】
確認イメージ作成部１１２は、ジャムリカバリ制御部１１１からの再開情報に基づいて、印刷を再開させるページの前後Ｎページを１ページにレイアウトした確認イメージを作成する。この確認イメージには、ジャム発生時刻、印刷を再開させるページ、印刷ジョブの内容（ジャム名）等の情報が含まれる。なお、確認イメージに含まれる情報は、これらに限定されない。
【００３１】
確認イメージが印刷される確認用用紙のサイズは、印刷ジョブで指定された用紙サイズよりも横、縦ともに大きいものを用いるとよい。なお、確認用用紙のサイズは、横又は縦の一方が印刷ジョブで指定された用紙サイズよりも大きいものを用いてもよい。
【００３２】
記憶装置１１３は、例えば、ＲＯＭ、ＲＡＭ、ＨＤＤ等によって構成される。
【００３３】
（コントロールパネル）
コントロールパネル１１は、入力や表示を行う液晶タッチパネルと、ジャム等により中断した印刷処理の再開を指示するスタートキー、印刷処理を強制的に中断させるためのストップキー等のハードキー部とを備える。
【００３４】
（画像出力部）
画像出力部１２は、印刷データを用紙に印刷して出力するものであり、電子写真方式、インクジェット方式等を用いることができる。画像出力部１２は、用紙サイズの異なる用紙（確認用用紙を含む）を収容する複数の用紙トレイと、用紙トレイから用紙を印刷位置に搬送するとともに、画像が印刷された用紙を排出トレイに搬送する搬送部と、搬送経路の各部に配置された複数の用紙検出センサ１４とを備える。用紙検出センサ１４は、用紙を検出したときに用紙検出信号をジャム検知部１０５に出力するものであり、例えば、フォトセンサを用いることができる。
【００３５】
（後処理部）
後処理部１３は、画像出力部１２により印刷された用紙に対し、印刷ジョブに含まれる印刷指示情報に後処理を行うことが記述されている場合には、指定されたステープル、パンチ、ソート等の後処理を行う。
【００３６】
（プリンタシステムの動作）
図３は、プリンタシステムの動作を示すフローチャートである。
【００３７】
（１）印刷ジョブの実行
クライアント端末２は、ユーザによりプリントドライバから印刷指示が行われたとき、文書データとユーザの印刷指示情報をＰＤＬ形式の印刷ジョブに変換し、プリンタ１に送信する。
【００３８】
プリンタ１のジョブ制御部１１０は、クライアント端末２からクライアント通信部１０１を介して印刷ジョブを受信すると、印刷ジョブを記憶装置１１３に格納する。ジョブ制御部１１０は、記憶装置１１３に格納した印刷ジョブに対する印刷処理を順次実行する。
【００３９】
ジョブ制御部１１０は、Ｎｐａｇｅに１をセットする（Ｓ１０）。ＰＤＬ処理部１０２は、ジョブ制御部１１０の制御の下に、ＮｐａｇｅのＰＤＬデータを解釈し、ＰＤＬデータをラスターイメージデータに展開し（Ｓ１１）、ラスターイメージデータを記憶装置１１３に保存する（Ｓ１２）。印刷イメージ生成部１０３は、ラスターイメージデータを画像出力部１２に適合するようにＣＭＹＫ形式への変換等を行う。出力制御部１０４は、印刷イメージ生成部１０３によって生成された印刷イメージを画像出力部１２に出力する。画像出力部１２は、出力制御部１０４から出力された印刷イメージを印刷ジョブで指定された用紙に印刷して出力する（Ｓ１３）。
【００４０】
ジョブ制御部１１０は、ジャムが発生したか否かを判断し（Ｓ１４）、ジャムが発生していない場合は（Ｓ１４：Ｎｏ）、最終ページか否か、すなわちＮｐａｇｅ＝Ｎか否かを判断し（Ｓ１５）、最終ページでない場合は（Ｓ１５：Ｎｏ）、ＮｐａｇｅにＮｐａｇｅ＋１をセットし（Ｓ１６）、上記ステップＳ１１〜Ｓ１５を行う。最終ページまで印刷が終了すると（Ｓ１５：Ｙｅｓ）、ジョブ制御部１１０は、記憶装置１１３に記憶されている当該印刷ジョブを削除する（Ｓ１７）。
【００４１】
（２）ジャム発生後の動作
上記ステップＳ１４において、ジャム検知部１０５が用紙のジャムを検知すると（Ｓ１４：Ｙｅｓ）、ジャムが発生した位置を示すジャム検知信号をジョブ制御部１１０に出力する。ジョブ制御部１１０は、ジャム検知信号を受信したとき、再開指令信号が入力されるまで印刷ジョブに対する印刷処理を中断する。また、ジョブ制御部１１０は、ジャムが発生すると、メッセージをコントロールパネル１１の液晶タッチパネルに表示する。メッセージには、ジャムが発生した位置や、ジャム対処方法等が含まれる。
【００４２】
ユーザは、コントロールパネル１１の液晶タッチパネルに表示されたジャム対処方法に従い、ジャムの発生により搬送路に存在する用紙を取り出し、コントロールパネル１１のスタートボタンを押下する。コントロールパネル１１は、スタートボタンの押下により、再開指令信号をジョブ制御部１１０に送信する。
【００４３】
ＰＤＬ処理部１０２は、ジョブ制御部１１０の制御の下に、Ｎｐａｇｅ＋１のＰＤＬデータを解釈し、ＰＤＬデータをラスターイメージデータに展開し（Ｓ１８）、ラスターイメージデータを記憶装置１１３に保存する（Ｓ１９）。ＰＤＬ処理部１０２は、ジョブ制御部１１０の制御の下に、Ｎｐａｇｅ＋２のＰＤＬデータを解釈し、ＰＤＬデータをラスターイメージデータに展開し（Ｓ２０）、ラスターイメージデータを記憶装置１１３に保存する（Ｓ２１）。
【００４４】
ジョブ制御部１１０は、再開指令信号に基づいて、ジャムが発生した時刻、位置等のジャムに関するジャム情報をジャムリカバリ制御部１１１に送り、ジャムリカバリ制御部１１１にジャムリカバリ処理を実行させる。
【００４５】
ジャムリカバリ制御部１１１は、ジャム情報に基づき印刷を再開させるページを決定する。また、ジャムリカバリ制御部１１１は、決定した印刷を再開させるページの情報を含む再開情報を確認イメージ作成部１１２に出力して確認イメージを作成させる。
【００４６】
確認イメージ作成部１１２は、再開情報に基づいて確認イメージを作成する（Ｓ２２）。
【００４７】
印刷可能か否かを判断し（Ｓ２３）、印刷可能な場合、すなわちコントロールパネル１１からの再開指令信号を受信している場合は（Ｓ２３：Ｙｅｓ）、Ｎに０をセットし（Ｓ２４）、確認イメージを印刷する（Ｓ２５）。
【００４８】
（確認イメージの具体例）
図２は、確認イメージの一例を示し、（ａ）は、印刷物を示す斜視図、（ｂ）は、確認用用紙に印刷した確認イメージを示す正面図である。
【００４９】
確認用用紙１２２Ａは、印刷ジョブで指定された用紙（ジョブ指定用紙）１２１のサイズよりも横、縦ともに大きくすると良い。例えば、印刷ジョブで指定された用紙サイズが、Ａ４（２１０×２９７ｍｍ）の場合は、２２０×３０７ｍｍとする。
【００５０】
確認イメージ１０Ａは、印刷を再開させるページの前後３ページ、ここでは、印刷を再開させる位置の前の２０〜２２ページと印刷を再開させる位置の後の２３〜２５ページのページイメージ１２３ａ，１２３ｂを含み、印刷を再開させる位置の前後１ページ（２２、２３ページ）のページイメージ１２３ａは、他のページ（２０、２１、２４、２５ページ）のページイメージ１２３ｂよりも大きく表示される。また、確認イメージ１２０Ａには、ジャムが発生した時刻（２月２５日  １２：４５）と、印刷を再開させる位置（２２Ｐａｇｅと２３Ｐａｇｅの間）からなる再開情報１２４が含まれる。ここで、確認イメージ１０Ａに含ませるページの範囲は、印刷を再開させるページの前後３ページとする代わりに、再開するページを含むプリンタ１の特性に応じた所定の範囲のページ、たとえば、印刷が中断した際にプリンタ１内に滞留していた用紙に対応する範囲のページにしても良い。
【００５１】
確認イメージ１２０Ａを印刷した後は（Ｓ２５）、正常に印刷したか否かを判断し（Ｓ２６）、正常に印刷した場合は（Ｓ２６：Ｙｅｓ）、Ｎｐａｇｅ＋Ｎを印刷する（Ｓ２７）。正常に印刷したか否かを判断し（Ｓ２８）、正常に印刷した場合は（Ｓ２８：Ｙｅｓ）、ＮにＮ＋１をセットする（Ｓ２９）。Ｎ＝３に達したか否かを判断し（Ｓ３０）、Ｎ＝３に達すると（Ｓ３０：Ｙｅｓ）、ＮｐａｇｅにＮｐａｇｅ＋２をセットし（Ｓ３１）、上記ステップＳ１５へ進む。
【００５２】
［第２の実施の形態］
第１の実施の形態では、１種類の確認用用紙を用いる場合について説明したが、この第２の実施の形態では、複数種の確認用用紙を用いる場合について説明する。また、第１の実施の形態では、確認イメージの印刷出力は、中断した印刷処理を再開するに先立って出力したが、この第２の実施の形態では、印刷処理が終了した後に、出力するモードも有するものである。
【００５３】
図４〜図７は、第２の実施の形態に係る確認イメージの一例を示す図、図８は、第２の実施の形態に係るジャム処理を示すフローチャート、図９は、第２の実施の形態に係るジョブ終了処理を示すフローチャートである。
【００５４】
印刷を再開する位置に確認用用紙を挟むか否かを判断する（Ｓ４０）。印刷を再開する位置に確認用用紙を挟む場合は（Ｓ４０：Ｙｅｓ）、大きな用紙を混在可能か否かを判断し（Ｓ４１）、大きな用紙を混在可能な場合は（Ｓ４１：Ｙｅｓ）、図２に示すように、大きな用紙１２２Ａでの処理を行う（Ｓ４２）。
【００５５】
大きな用紙１２２Ａを混在可能でない場合は（Ｓ４１：Ｎｏ）、色紙の使用が可能か否かを判断し（Ｓ４３）、色紙の使用が可能の場合は（Ｓ４３：Ｙｅｓ）、図４に示すように、色紙の確認用用紙１２２Ｂに確認イメージ１２０Ａを印刷する色紙１２２Ｂでの処理を行う（Ｓ４４）。確認イメージ１２０Ａの内容は、図２（ｂ）で説明したのと同様である。
【００５６】
色紙１２２Ｂの使用が可能でない場合は（Ｓ４３：Ｎｏ）、縁取り処理が可能か否かを判断し（Ｓ４５）、縁取り処理が可能な場合は（Ｓ４５：Ｙｅｓ）、図５に示すように、黒枠等の縁取り１２５を有する確認用用紙１２２Ｃに確認イメージ１２０Ａを印刷する縁取りでの処理を行う（Ｓ４６）。確認イメージ１２０ＡＡ内容は、図２（ｂ）で説明したのと同様である。縁取り１２５の色は、黒以外の他の色でもよい。なお、図４に示す確認用用紙１２２Ｂや、図５に示す確認用用紙１２２Ｃは、予め専用の用紙トレイにセットしておいてもよく、ジョブ指定用紙１２１に印刷処理時に着色して確認用用紙として用いてもよい。
【００５７】
上記ステップＳ４０において、印刷を再開する位置に確認用用紙を挟まない場合は（Ｓ４０：Ｎ０）、ジャム情報を記憶装置１１３に記録し（Ｓ４７）、終了時リカバリ処理要をＯＮにセットする（Ｓ４８）。
【００５８】
ジャム発生後の印刷処理した後、終了時リカバリ処理要がＯＮにセットされているか否かを判断し（Ｓ５０）、終了時リカバリ処理要がＯＮにセットされている場合は（Ｓ５０：Ｙｅｓ）、印刷の実施が可能か否かを判断し（Ｓ５１）、印刷の実施が可能な場合は（Ｓ５１：Ｙｅｓ）、図６に示すように、再開情報を印刷する（Ｓ５２）。Ｎ部を印刷する場合に、同じページを連続して印刷するスタック印刷のような場合は、印刷を再開するページの前後のページを印刷しても意味がないため、ジャムで中断した残りの印刷イメージを印刷した後、確認イメージを印刷する。図６に示す確認イメージ１２０Ｂの場合は、例えば、確認イメージ１２０Ｂに、ジョブ指定用紙１２１に印刷を再開させるページのページイメージ１２３ａと、再開情報１２４とを含める。
【００５９】
印刷の実施が可能でない場合は（Ｓ５１：Ｎｏ）、コントロールパネル１１に表示可能か否かを判断し（Ｓ５３）、コントロールパネル１１に表示可能な場合は（Ｓ５３：Ｙｅｓ）、例えば、図６に示す確認イメージ１２０Ｂのコントロールパネル１１への表示処理を行う（Ｓ５４）。廃棄される確認イメージの印刷物を無くすため、コントロールパネル１１に表示する場合が該当する。
【００６０】
コントロールパネル１１に表示可能でない場合は（Ｓ５３：Ｎｏ）、クライアント端末２で表示可能か否かを判断し（Ｓ５５）、コントロールパネル１１の液晶タッチパネルの解像度が十分でなく、クライアント端末２で表示可能な場合は（Ｓ５５：Ｙｅｓ）、図７に示すように、クライアント端末２のディスプレイ２０にＷｅｂブラウザを用いて確認イメージ１２０Ｃを表示する（Ｓ５６）。
【００６１】
上記ステップＳ５０において、終了時リカバリ処理要がＯＮにセットされていない場合は（Ｓ５０：Ｎｏ）、及びクライアント端末２で表示可能でない場合は（Ｓ５５：Ｎｏ）、ジョブ終了処理は終了する。
【００６２】
［変形例１］
図１０は、確認イメージの変形例１を示す図である。印刷物の間に確認イメージを印刷して出力することが困難な場合、例えば、ステープル等の後処理を行う場合、印刷ジョブで指定された用紙が色紙や、用紙サイズが混在する場合、プリンタが用紙の端に印字できないものである場合等においては、ジャムで中断した印刷ジョブを実行した後に、図１０に示すように、確認イメージ１２０Ａを印刷する。
【００６３】
［変形例２］
図１１は、確認イメージの変形例２を示す図である。同図に示す確認イメージ１２０Ｄは、視覚的にジャムが発生した位置が分かるように、図２に示す確認イメージ１２０Ａに印刷物とジャム発生位置を示す矢印及び文言（このあたり）を付加したものである。
【００６４】
［変形例３］
図１２は、確認イメージの変形例３を示す図である。プリンタの種類によっては、ジャムが発生したとき、印刷を再開させたページから所定のページ数だけ後又は前の位置に印刷不良が発生するというプリンタ固有の特性を有する場合がある。このような場合に、図１２に示すように、確認用用紙１２２Ａの表面に確認イメージ１２０Ａを印刷し、確認用用紙１２２Ａの裏面に付加的な確認イメージ１２０Ｅを印刷する。付加的な確認イメージ１２０Ｅには、印刷を再開する位置から所定のページ数だけ後又は前（同図の場合は７ページ後）の最も確認して欲しいページイメージ１２３ａを大きく表示し、その他のページイメージ１２３ｂを小さく表示する。
【００６５】
図１３は、変形例３に係るプリンタのペーパパスを示す。同図において、Ｐ１〜Ｐ３は、用紙の待機位置を示し、Ａ１〜Ａ７は、用紙の搬送方向を示す。用紙トレイ２１からフィードされた用紙は、ペーパパスＰＳに沿って方向Ａ１、Ａ２へと搬送され、用紙の表面に転写ドラム２３によりトナー像が転写された後、方向Ａ３へと搬送され、反転部２４で用紙が反転されて方向Ａ４、Ａ５、Ａ６、Ａ２へと搬送され、用紙の裏面に転写ドラム２３によりトナー像が転写された後、方向Ａ７と搬送されて排出トレイ２５に排出される。このようなペーパパスＰＳを有するプリンタの場合は、ペーパパスＰＳ上に同時に用紙が３枚流れるようになる。このような構成のプリンタにジャムが発生すると、印刷を再開させたページから所定のページ数後又は前のページも画像転写不良等のページとなるという特性を有する。
【００６６】
［他の実施の形態］
なお、本発明は、上記各実施の形態に限定されず、本発明の趣旨を逸脱しない範囲内で種々な変形が可能であり、本発明の趣旨を逸脱しない範囲内で各実施の形態間の構成要素を任意に組み合わせることができる。
【００６７】
例えば、上記各実施の形態では、画像形成動作が中断する例として、ジャムについて説明したが、停電等による中断でもよい。
【００６８】
また、図２、図４、図５等において、印刷順序を１ページからとしたが、Ｎページからでもよい。
【００６９】
また、上記各実施の形態において確認イメージを印刷する用紙は、他の実施の形態で用いた用紙（確認用用紙又はジョブ指定用紙）を用いてもよい。
【００７０】
また、上記各実施の形態では、再開手段及び作成手段を、ＣＰＵと画像処理プログラムによって実現したが、それらの一部または全部を特定用途向け集積回路（ＡＳＩＣ：Application Specific IＣ）等のハードウェアによって実現してもよい。
【００７１】
また、上記各実施の形態で使用されるプログラムは、ＣＤ−ＲＯＭ等の記録媒体から装置内の記憶部に読み込んでもよく、インターネット等のネットワークに接続されているサーバ等から装置内の記憶部にダウンロードしてもよい。
【図面の簡単な説明】
【００７２】
【図１】図１は、本発明の第１の実施の形態に係るプリンタシステムのブロック図である。
【図２】図２は、確認イメージの一例を示し、（ａ）は、印刷物を示す斜視図、（ｂ）は、確認用用紙に印刷した確認イメージを示す正面図である。
【図３】図３は、プリンタシステムの動作を示すフローチャートである。
【図４】図４は、本発明の第２の実施の形態に係る確認イメージの一例を示す図である。
【図５】図５は、本発明の第２の実施の形態に係る確認イメージの一例を示す図である。
【図６】図６は、本発明の第２の実施の形態に係る確認イメージの一例を示す図である。
【図７】図７は、本発明の第２の実施の形態に係る確認イメージの一例を示す図である。
【図８】図８は、本発明の第２の実施の形態に係るジャム処理を示すフローチャートである。
【図９】図９は、本発明の第２の実施の形態に係るジョブ終了処理を示すフローチャートである。
【図１０】図１０は、確認イメージの変形例１を示す図である。
【図１１】図１１は、確認イメージの変形例２を示す図である。
【図１２】図１２は、確認イメージの変形例３を示す図である。
【図１３】図１３は、変形例３に係るプリンタのペーパパスを示す図である。
【符号の説明】
【００７３】
１  プリンタ
２  クライアント端末
１０  プリンタコントローラ
１１  コントロールパネル
１２  画像出力部
１３  後処理部
１４  用紙検出センサ
２０  ディスプレイ
２１  用紙トレイ
２２  レジストレーションゲート
２３  転写ドラム
２４  反転部
２５  排出トレイ
１０１  クライアント通信部
１０２  ＰＤＬ処理部
１０３  印刷イメージ生成部
１０４  出力制御部
１０５  ジャム検知部
１１０  ジョブ制御部
１１１  ジャムリカバリ制御部
１１２  確認イメージ作成部
１１３  記憶装置
１２０Ａ〜１２０Ｅ  確認イメージ
１２１  ジョブ指定用紙
１２２Ａ〜１２２Ｃ  確認用用紙
１２３ａ，１２３ｂ  ページイメージ
１２４  ジャム情報
１２５  縁取り
【図１】
0004492660.tif 000002
【図２】
0004492660.tif 000003
【図３】
0004492660.tif 000004
【図４】
0004492660.tif 000005
【図５】
0004492660.tif 000006
【図６】
0004492660.tif 000007
【図７】
0004492660.tif 000008
【図８】
0004492660.tif 000009
【図９】
0004492660.tif 000010
【図１０】
0004492660.tif 000011
【図１１】
0004492660.tif 000012
【図１２】
0004492660.tif 000013
【図１３】
0004492660.tif 000014